(57)【要約】【課題】暖房時の部屋全体の温度を均一化することができる空気調和機を提供する。【解決手段】暖房運転時には、室内機１の上面及び前面に形成された吸込口４ａ、４ｃから室内の空気が取り入れられ、室内熱交換器３と熱交換した後、吹出口５の第１開口部５ａから室内に暖気が送出される。所定の時期になると、横ルーバ１１ａ、１１ｂが回動して第１開口部５ａが閉塞され、導風板１４が回動して第２開口部５ｂが開放される。これにより、送風経路６を流通する調和空気は分岐通路１３を流通して第２開口部５ｂから前方上方に向けて送風運転を行う。その結果、暖気溜りＥを吹き飛ばして暖気を室内に行き届かせることができる。【選択図】　　　図４
2004101128.tif 000002
【特許請求の範囲】
【請求項１】
室内の壁面に取り付けて吸込口から取り入れた空気を調和し、吹出口から空気を送出する空気調和機において、暖房期間中に、上方に空気を送出することを特徴とする空気調和機。
【請求項２】
前記吹出口から水平方向乃至下方向に空気を送出して暖房運転が行われ、所定の変更条件になると空気を上方向に送出することを特徴とする請求項１に記載の空気調和機。
【請求項３】
前記変更条件は、使用者の指示に基づくことを特徴とする請求項２に記載の空気調和機。
【請求項４】
前記変更条件は、空気調和機の運転状況に基づくことを特徴とする請求項２に記載の空気調和機。
【請求項５】
空気調和機の運転時間を積算する運転時間積算手段を備え、前記変更条件は、空気調和機の運転時間に基づくことを特徴とする請求項２に記載の空気調和機。
【請求項６】
温度検知手段を備え、前記変更条件は、前記温度検知手段により検知した温度に基づくことを特徴とする請求項２に記載の空気調和機。
【請求項７】
前記変更条件は、前記吸込口から取り入れられた空気の温度に基づくことを特徴とする請求項６に記載の空気調和機。
【請求項８】
前記吹出口を開閉して空気を所定方向に導く導風板を備え、前記導風板によって空気を上方向に導くことを特徴とする請求項１〜請求項７のいずれかに記載の空気調和機。
【請求項９】
前記吹出口に臨む空気流通経路の上壁を成して前方へ行くほど上方になるように傾斜した案内面を備え、前記案内面により空気を上方向に導くことを特徴とする請求項１〜請求項８のいずれかに記載の空気調和機。
【請求項１０】
前記案内面の前端から後方に延びた平面または曲面を形成することを特徴とする請求項９に記載の空気調和機。
【請求項１１】
イオンを発生するイオン発生装置を備え、前記吹出口から調和空気とともにイオンを室内に送出することを特徴とする請求項１〜請求項１０のいずれかに記載の空気調和機。
【発明の詳細な説明】
【０００１】
【発明の属する技術分野】
本発明は、取り込まれた空気を調和して室内に送出する空気調和機に関し、特に空気調和機の暖房時の動作に関する。
【０００２】
【従来の技術】
図１３は、従来の空気調和機の室内機を示す概略側面断面図である。空気調和機の室内機１は通常、使用者の身長よりも高い位置に配置されており、キャビネット２により本体部が保持されている。キャビネット２は後方側面に爪部（不図示）が設けられ、室内の壁に取り付けられた取付板に該爪部を係合することにより支持される。
【０００３】
キャビネット２には上面側と前面側に吸込口４ａ、４ｃが設けられたフロントパネル３が着脱自在に取り付けられている。フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。
【０００４】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【０００５】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００６】
室内熱交換器９とエアフィルタ８との間には吸い込まれた空気の温度を検知する温度センサ６１が設けられている。温度センサ６１は吸込口から吸引された空気の温度を検知し、使用者により設定された目標の室温（以下、「設定温度」という）との差に応じて冷凍サイクルの運転周波数および送風量を制御する。
【０００７】
室内熱交換機９の前後の下部には冷房または除湿時に室内熱交換器９から落下した結露を補集するドレンパン１０が設けられている。前方のドレンパン１０はフロントパネル３に取り付けられ、後方のドレンパン１０はキャビネット２と一体に成形されている。
【０００８】
送風経路６内の吹出口５の近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００９】
上記構成の空気調和機において、空気調和機の暖房を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００１０】
室内機１内に取り込まれた空気は室内熱交換器９と熱交換して加熱される。そして、送風経路６を通って縦ルーバ１２及び横ルーバ１１ａ、１１ｂによって左右方向及び上下方向の向きが規制され、吹出口５から下方に向けて室内に送出される。
【００１１】
また、空気調和機の運転の開始直後は速やかに室内の空気を循環させる必要がある。このため、送風ファン７の回転速度を高くして室内熱交換器９で熱交換された空気は吹出口５から勢いよく送出される。図１４はこの時の室内の気流の挙動を示している。吹出口５（図１３参照）から略真下方向に送出される空気は、矢印Ｂに示すように部屋Ｒ内を流通して吸込口４ａ、４ｃに戻る。
【００１２】
図１５は、図１４に示した部屋Ｒを設定温度２８℃で暖房運転した場合の室内の温度分布を示している。部屋Ｒの大きさは６畳（高さ２４００ｍｍ、横３６００ｍｍ、奥行き２４００ｍｍ）である。計測ポイントは図１４に一点鎖線Ｄで示した部屋Ｒの中央断面を６００ｍｍ間隔で高さ方向と横方向にそれぞれ６点、８点の合計４８点計測している。また、室内機１から吹出される暖房開始直後における気流は風量が強風、風向が略真下方向になっている。
【００１３】
吸込口４ａ、４ｃから吸引された空気の温度と設定温度との温度差が小さくなったことを温度センサ６１により検知すると、送風ファン７の調整により徐々に送風量が低下する。図１６はこの時の室内の気流の挙動を示している。吹出口５（図１３参照）から略真下方向に送出される暖気は、矢印Ｂ’に示すように部屋Ｒ内を流通して吸込口４ａ、４ｃに戻る。
【００１４】
図１７は、図１６の状態での室内の温度分布を示している。部屋Ｒの大きさおよび計測ポイントは図１５と同様である。室内機１から吹出される気流は風量が微風、風向が略真下方向になっている。
【００１５】
また、室内機１内にイオンを発生するイオン発生装置を備えた空気調和機も知られている。この空気調和機は、吹出口５から調和空気とともにイオンを送出することによって、殺菌等による空気清浄効果やリラクゼーション効果を得ることができるようになっている。
【００１６】
【発明が解決しようとする課題】
上記の従来の空気調和機によると、暖房運転時に吹出口５から略真下方向に勢いよく暖気が送出されると、矢印Ｂ（図１４参照）に示すように暖気が部屋Ｒの床面に到達して床面に沿って床面全体に広がる。
【００１７】
暖気は比重が小さいため、吹出口５から送出された気流の一部はＢ”（図１４参照）に示すように上昇する。その結果、図１５に示すように、室内機１の近傍に設定温度２８℃よりも高温の暖気溜りＥが生じ、実際の室温よりもやや高温の空気が室内機１に吸引される。従って、温度センサ６１による検知温度が設定温度よりも高温となり、室内が設定温度に到達する前に送風量や暖房能力が下げられて所望の室内温度が得られない問題があった。
【００１８】
また、吸気温度が設定温度よりも高温のため空気調和機の送風量及び暖房能力が過剰に下げられると、室内の空気が攪拌されず、図１７に示すように、部屋Ｒの上部と下部で大きな温度差が生じる。その結果、吹出口５から送出される暖気は矢印Ｂ’（図１６参照）に示すように大きな浮力を受けて部屋Ｒの床面に到達する前に上昇する。
【００１９】
加えて、暖気の比重が小さいため、吹出口５から送出された気流の一部が矢印Ｂ”（図１６参照）のように上昇する。これにより、部屋Ｒの上部のみが温められて設定温度に達し、床面近傍は温められず設定温度に達しない。即ち、足元が寒く、頭部には暖気が直接当たり、使用者に著しく不快感を与えるという問題があった。更に、吸込口から吸引する空気の温度が設定温度に達しているため送風量は増加されず、継続的に使用者に不快感を与える。
【００２０】
また、吹出口５からイオンを送出する空気調和機では、部屋Ｒの上部と下部で大きな温度差ができて浮力が生じるため部屋Ｒの下部までイオンが行き届かず、部屋Ｒの下部の領域のイオン濃度が低くなる。即ち、部屋の下部でのイオン濃度が他の場所に比べて低くなり、充分な殺菌効果やリラクゼーション効果を得ることができない問題もあった。
【００２１】
本発明は、上記の問題点に鑑みてなされたものであり、暖房時における快適性が確保できるだけでなく、部屋全体の温度分布やイオン濃度分布を均一にすることができる空気調和機を提供することを目的とする。
【００２２】
【課題を解決するための手段】
上記目的を達成するために本発明は、室内の壁面に取り付けて吸込口から取り入れた空気を調和し、吹出口から空気を送出する空気調和機において、暖房期間中に、上方に空気を送出することを特徴としている。この構成によると、部屋の天井近傍に蓄積した暖気溜りが上方に送出される空気により吹き飛ばされて室内に攪拌される。これにより、部屋の下部と上部の温度較差を小さくして部屋全体の温度が均一化される。ここで、暖房期間には、暖気を送出する暖房運転のみが行われる期間だけでなく、間欠的に暖房運転を行って一部送風運転や冷房運転が行われる期間が含まれる。
【００２３】
また本発明は、上記構成の空気調和機において、吹出口から水平方向乃至下方向に空気を送出して暖房運転が行われ、所定の変更条件になると空気を上方向に送出することを特徴としている。この構成によると、吹出口より送出される気流の方向が所定の変更条件になると水平方向乃至下方向から上方向に可変される。これにより、部屋の天井近傍に蓄積した暖気溜りが吹き飛ばされて室内に攪拌される。例えば、使用者による指示があった場合や、吸気温度や運転時間に基づいて空気調和機が所定の運転状況になった場合に空気の送出方向が可変される。
【００２４】
空気を上方へ送出するには、吹出口を開閉する導風板により実現できる。また、吹出口に臨む空気流通経路の上壁が前方へ行くほど上方になるように傾斜する案内面を形成すると、該案内面によって空気を容易に上方向に導くことができる。案内面は吹出口から突出して設けても良いし、吹出口の内方に設けてもよい。更に、室内機の前面部に突設した凸部の壁面や室内機の前面部に凹設した溝部の壁面によって案内面の前端から後方に延びた平面または曲面を形成すると、空気調和機の前面に沿って流れる空気のコアンダ効果が断ち切られて案内面の延長方向へ空気が送出される。
【００２５】
また本発明は、上記構成の空気調和機において、イオンを発生するイオン発生装置を備え、前記吹出口から調和空気とともにイオンを室内に送出することを特徴とする。この構成によると、温度分布の均一な室内にイオンが上方へ向けて送出され、イオンが浮力を受けずに部屋全体に行き届く。
【００２６】
【発明の実施の形態】
以下に本発明の実施形態を図面を参照して説明する。説明の便宜上、前述の図１３〜図１７に示す従来例と同様の部分には同一の符号を付している。図１は第１実施形態の空気調和機の室内機を示す概略側面断面図である。
【００２７】
キャビネット２の上面部には吸込口４ａが設けられており、フロントパネル３の上端とキャビネット２との隙間によって吸込口４ｃが形成されている。室内熱交換器９とエアフィルタ８との間には吸い込まれた空気の温度を検知する温度センサ６１が設けられ、室内機１の側部には空気調和機の駆動を制御する制御部６０（図３参照）が設けられている。
【００２８】
フロントパネル３の下端部とキャビネット２の下端部との間隙には、室内機１の幅方向に延びる略矩形の第１、第２開口部５ａ、５ｂから成る吹出口５が形成されている。第１、第２開口部５ａ、５ｂには明確な境界が形成されないが、便宜上吹出口５の下部を第１開口部５ａとし、上部を第２開口部５ｂとしている。
【００２９】
第２開口部５ｂは送風経路６から上方に傾斜して分岐する分岐通路１３により送風経路６と連通している。送風経路６及び分岐通路１３により空気が流通する空気流通経路が構成されている。分岐通路１３の開放側端部には、回動軸１４ａでフロントパネル３に枢支される導風板１４が設けられている。また、第２開口部５ｂの上端には室内機１の幅方向に延びる略矩形の溝部２８が設けられている。
【００３０】
図２は吹出口５および溝部２８の近傍の詳細を示す断面図である。分岐通路１３の上壁面１３ａは前方へ向かって上方に傾斜する傾斜面（案内面）から成っており、分岐通路１３に導かれた空気をスムーズに吹出口５の上部の第２開口部５ｂに搬送することができる。分岐通路１３の上壁面１３ａは平面でなくても良く、例えば、複数の平面や曲面から成ってもよい。
【００３１】
溝部２８はフロントパネル３と上壁面１３ａとの間に設けられ、溝部２８の下面２８ａと分岐通路１３の上壁面１３ａとによって尖状の突起部２９が形成され、後述するように、第２開口部５ｂから吹き出された調和空気を滑らかに室内に導く。
【００３２】
また、前方のドレンパン１０には、イオン発生装置３０が放電面３０ａを送風経路６に面して設置されている。イオン発生装置３０の放電面３０ａから発生したイオンは送風経路６内に放出され、吹出口５から室内に吹出される。イオン発生装置３０は放電電極を有し、コロナ放電によって印加電圧が正電圧の場合は主としてＨ＋（Ｈ２Ｏ）ｎから成るプラスイオンを生成し、負電圧の場合は主としてＯ２−（Ｈ２Ｏ）ｍから成るマイナスイオンを生成する。
【００３３】
Ｈ＋（Ｈ２Ｏ）ｎ及びＯ２−（Ｈ２Ｏ）ｍは微生物の表面で凝集し、空気中の微生物等の浮遊菌を取り囲む。そして、式（１）〜（３）に示すように、衝突により活性種である［・ＯＨ］（水酸基ラジカル）やＨ２Ｏ２（過酸化水素）を浮遊菌の表面上で生成し、浮遊菌を破壊して殺菌を行う。
【００３４】
2004101128.tif 000003
【００３５】
イオン発生装置３０は使用目的に応じて、プラスイオンに比べてマイナスイオンを多く発生させるモード、マイナスイオンに比べてプラスイオンを多く発生させるモード、及びプラスイオンとマイナスイオンの両方を略同量の割合で発生させるモードの切替えができるようになっている。
【００３６】
図３は、制御部６０を示すブロック図である。制御部６０は各種演算処理を行うＣＰＵ７１を有している。ＣＰＵ７１には入力信号を受け取る入力回路７２及びＣＰＵ７１の演算結果を出力する出力回路７３が接続されている。また、ＣＰＵ７１の演算プログラムの格納及び演算結果の一時記憶を行うメモリ７４が設けられている。
【００３７】
入力回路７２には空気調和機の運転状況を検出する運転状況検出部７７により検出された信号が入力される。運転状況検出部７７は温度センサ６１（図１参照）及び制御部６０に設けられたタイマー（不図示）から成っている。出力回路７３には、モータから成る導風板駆動部７５が接続されている。導風板駆動部７５は出力回路７３の出力に基づいて導風板１４（図１参照）を駆動する。
【００３８】
また、制御部６０にはリモートコントローラ（不図示）による操作信号を受信する受信部（不図示）が設けられている。受信部で受信した操作信号に応じてＣＰＵ７１によって出力回路７３から導風板１４の駆動信号が導風板駆動部７５に出力される。このため、運転状況検出部７７の検知結果に拘わらずリモートコントローラにより導風板１４を駆動可能になっている。
【００３９】
上記構成の空気調和機において、空気調和機の暖房を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００４０】
室内機１内に取り込まれた空気は室内熱交換器９と熱交換して加熱される。そして、送風経路６を通って縦ルーバ１２及び横ルーバ１１ａ、１１ｂによって左右及び上下方向の向きを規制されて吹出口５の第１開口部５ａから矢印Ａ１に示すように下方に向けて室内に送出される。この時、導風板１４は閉じられており、第２開口部５ｂから空気は送出されない。
【００４１】
また、空気調和機の運転の開始直後は速やかに室内の空気を循環させる必要がある。このため、風量が例えば「強」に設定され、送風ファン７の回転速度を高くして室内熱交換器９で熱交換された空気は吹出口５から勢いよく送出される。この時の部屋全体の気流の挙動は前述の図１４と同様になっている。
【００４２】
図１４において、第１開口部５ａ（図１参照）から吹出された暖気は矢印Ｂに示すように勢いよく略真下方向に送出される。部屋Ｒの床面に到達して床面に沿って床面全体に広がり、部屋Ｒ内を矢印Ｂに示すように流通して吸込口４ａ、４ｃに戻る。暖気は比重が小さいため、吹出口５から送出された気流の一部は矢印Ｂ”に示すように上昇する。その結果、室内の温度分布は前述の図１５と同様に、部屋Ｒの室内機１近傍に設定温度よりも高い温度の暖気溜りＥが生ずる。
【００４３】
吸込口４ａ、４ｃから吸引された空気の温度と設定温度との温度差が小さくなったことを運転状況検出部７７の温度センサ６１により検知すると、冷凍サイクルの運転が停止される。そして、図４に示すように、導風板１４が回動して第２開口部５ｂが開放される。
【００４４】
同時に、横ルーバ１１ａ、１１ｂが回動して第１開口部５ａが上方に向けて少しだけ開いた状態に設定される。横ルーバ１１ａ、１１ｂにより第１開口部５ａを少しだけ開放することによって、第１開口部５ａから吹き出される空気がコアンダ効果によって横ルーバ１１ａ、１１ｂに沿って上方に導かれる。
【００４５】
これにより、吸込口４ａ、４ｃから取り込まれた空気が送風経路６及び分岐通路１３を流通して第２開口部５ｂ及び横ルーバ１１ａ、１１ｂの隙間から上方に送出される。この時、冷凍サイクルが停止されているため、吸込口４ａ、４ｃから吸い込まれた空気を熱交換することなく吹出口５から送出する送風運転が行われる。
【００４６】
分岐通路１３の上壁面１３ａは前方へ向かって上方に傾斜する傾斜面から成っているため、分岐通路１３に導かれた空気はスムーズに第２開口部５ｂに送られる。このため、上方に送出される空気の圧力損失を低減することができ、風量の減少を防止することができる。
【００４７】
更に、分岐通路１３の上壁面１３ａに沿って流通する空気は溝部２８によってコアンダ効果が断ち切られ、フロントパネル３に沿うことなく矢印Ａ２に示すように前方上方に導かれる。溝部２８の下面は分岐通路１３の上壁１３ａの前端から斜め上方や斜め下方に延びた面により形成しても良い。このようにしても、コアンダ効果によりフロントパネル３の前面に沿って流れようとする力を断ち切ることができる。
【００４８】
図５はこの時の部屋内の気流の挙動を示している。第１、第２開口部５ａ、５ｂ（図４参照）から矢印Ｃに示すように前方上方に送出される空気は、部屋Ｒの天井に到達する。その後、コアンダ効果により天井面から室内機１に対向する壁面、床面、室内機１側の壁面を順次伝って室内機１の両側方から吸込口４ａ、４ｃに吸い込まれる。
【００４９】
図６は、設定温度２８℃において送風運転を３０秒間行ったときの部屋Ｒ内の温度分布である。部屋Ｒの大きさ、計測ポイントは、前述の図１５、図１７と同様である。同図から明らかなように、送風運転により室内機１の第１、第２開口部５ａ、５ｂから前方上方に吹出された空気によって室内機１の周囲に生じた暖気溜りＥ（図１５参照）が吹き飛ばされる。このため、コアンダ効果によって部屋全体を大きく攪拌する気流によって暖気溜りＥの暖気が部屋全体に行き渡る。これにより、部屋Ｒ内の温度分布が均一になる。
【００５０】
吸込口４ａ、４ｃから吸引された空気の温度を温度センサ６１により検知し、検出温度が設定温度よりも低くなった場合は再度冷凍サイクルが運転され、暖房運転が行われる。この時、送風ファン７の調整により送風量を低下させて微風により略真下方向に暖気が送出される。
【００５１】
運転状況検出部７７のタイマーによって微風の状態で所定の時間が経過したことを検知すると、冷凍サイクルが停止される。そして、前述の図４と同様に、導風板１４及び第１、第２横ルーバ１１ａ、１１ｂを上方に向けて送風運転が行われる。これにより、室内温度が設定温度付近で安定した安定運転状態において温度センサ６１の検出温度に基づいて下方に送風する暖房運転と、タイマーによる検出時間に基づいて上方に送風する送風運転とが繰り返し行われる。
【００５２】
尚、設定温度と検出温度の温度差が所定値よりも大きい場合は、微風による暖房運転の前に第１開口部５ａから略真下方向に勢いよく暖気が送出される。そして、温度センサ６１の検出温度が設定温度に近づくと送風量を徐々に低下して微風にするようになっている。
【００５３】
前述したように、導風板１４はリモートコントローラ（不図示）の操作によって駆動することができる。リモートコントローラにより所定の操作を行うと、図７に示すように、第１開口部５ａから下方に暖気を送出する暖房運転時に運転状況検出部７７の検出結果に拘わらず導風板１４を開放して上方に暖気を送出することができる。
【００５４】
これにより、室内機１が設置されている壁面に相対する壁面の近傍までイオン発生装置３０により発生したイオンを速やかに到達させることができる。即ち、暖房運転を行いながら下方及び上方にイオンを送出して部屋の端部のイオン濃度を大幅に増加して殺菌効果やリラクゼーション効果を向上させることができる。
【００５５】
また、リモートコントローラにより所定の操作を行うと、導風板１４の向きを使用者の所望の向きに可変することができる。図８に示すように、例えば使用者からの指示が「風向１」の場合には制御部６０の制御により導風板１４の傾斜角度が水平方向に対して上方に＋３０゜に配される。
【００５６】
使用者からの指示が「風向２」の場合には導風板１４が＋２０゜に配され、使用者からの指示が「風向３」の場合には導風板１４が０゜に配される。従って、使用者の好みに応じて上方送風の風向を設定することができる。
【００５７】
また、リモートコントローラによる所定の操作によって、導風板１４の開成を禁止することもできる。例えば、室内機１の近傍に壁や障害物があると、第２開口部５ｂから前方上方に送出される空気が跳ね返って吸込口４ａ、４ｃから取込まれ、ショートサーキットが大きくなる場合がある。従って、リモートコントローラに導風板１４の開成を禁止するスイッチを設けると、使用状況に応じた風向制御を行うことができるのでより望ましい。尚、室内機１に導風板１４の開成を禁止するスイッチを設けてもよい。
【００５８】
本実施形態によると、室内機１の周辺に発生する暖気溜りＥ（図１５参照）を吹き飛ばし、コアンダ効果により部屋全体を大きく攪拌して暖気溜りＥの暖気を部屋Ｒの全体に行き届かせることができる。これにより、部屋Ｒ内の温度分布を均一にすることができ、足元が寒くなるとともに頭部に暖気が直接当たるような不快感を使用者に与えることもなく、均一で快適な暖房を実現できる。
【００５９】
更に、足元が寒くなった場合でも室内の温度分布が均一なため、空気調和機から送出される暖気に作用する浮力を最小限に抑制することができるため、直ちに足元の温度を改善して継続的な寒さを防止することができる。加えて、室内に送出される空気に働く浮力が小さいためイオン発生装置により発生したイオンが室内全体に行き届く。これにより、殺菌効果やリラクゼーション効果を向上させることができる。
【００６０】
また、空気調和機の運転開始直後は暖気溜りＥが発生するため室温が設定温度に到達する前に空気調和機の送風量や暖房能力が下げられる場合があるが、安定運転状態になると暖気溜りＥが発生せず、室内全体を設定温度に確実に到達させることができる。
【００６１】
次に、図９は第２実施形態の空気調和機の室内機を示す概略側面断面図である。説明の便宜上、前述の図１〜図８に示す第１実施形態と同様の部分には同一の符号を付している。本実施形態は、第１実施形態で第２開口部５ｂの上方に配された溝部２８（図１参照）に替えて、第２開口部５ｂの上端にフロントパネル３と一体の導風部２０が突設されている。その他の構成は第１実施形態と同一である。
【００６２】
本実施形態によると、導風部２０の先端２０ｂから後方に延びる平面が形成されるので、空気調和機の前面に沿って流れようとする空気をコアンダ効果により容易に断ち切ることができ、上方への送風を好適に行うことができる。従って、第１実施形態と同様の効果を得ることができる。尚、導風部２０の上面は先端２０ｂから斜め上方や斜め下方に延びた面により形成してもよい。このようにしても、コアンダ効果によりフロントパネル３の前面に沿って流れようとする力を断ち切ることができる。
【００６３】
次に、図１０は第３実施形態の空気調和機の室内機を示す概略側面断面図である。説明の便宜上、前述の図９に示す第２実施形態と同様の部分には同一の符号を付している。本実施形態は、第２実施形態の導風部２０（図９参照）に替えて、分岐通路１３の上壁１３ａを延設した導風板２３が突設されている。その他の構成は第２実施形態と同一である。
【００６４】
本実施形態によると、導風板２３は分岐通路１３の上壁面１３ａと同一面上に形成されており、空気抵抗の増加が抑制されるとともに、コアンダ効果により空気調和機の前面に沿って流れようとする力を容易に断ち切ることができる。従って、上方への送風を容易に行うことができ、第１、第２実施形態と同様の効果を得ることができる。
【００６５】
次に、図１１は第４実施形態の空気調和機の室内機を示す概略側面断面図である。説明の便宜上、前述の図１０に示す第３実施形態と同様の部分には同一の符号を付している。本実施形態は、導風板２３が吹出口５の上端に枢支軸２３ａで枢支されている。その他の構成は第３実施形態と同一である。
【００６６】
本実施形態によると、導風板２３は案内面２３ｂが分岐通路１３の上壁面１３ａと同一面をなす位置と、フロントパネル３に重なって案内面２３ｂがフロントパネル３の表面と同一面をなす位置との間を回動できるようになっている。上方への送風時には導風板２３は案内面２３ｂが分岐通路１３の上壁面１３ａと同一面をなす位置に配置される。また、それ以外の運転時には導風板２３は案内面２３ｂがフロントパネル３の表面と同一面をなす位置に配置される。
【００６７】
これにより、上方への送風時に導風板２３によってコアンダ効果により空気調和機の前面に沿って流れようとする力を容易に断ち切ることができる。従って、上方への送風を容易に行うことができ、第１〜第３実施形態と同様の効果を得ることができる。
【００６８】
また、上方に送風しないときに導風板２３をフロントパネル３と重なる位置に配置できるため、室内機１の美観を向上させることができる。更に、導風板２３の色や形状等をフロントパネル３や横ルーバ１１ａ、１１ｂと同様の外観に形成するとより美観を向上させることができる。
【００６９】
尚、導風板２３をリモートコントローラの操作等によって、案内面２３ｂが分岐通路１３の上壁面１３ａと同一面をなす位置と、フロントパネル３の表面と同一面をなす位置との間に配置できるようにしても良い。このようにすると、室内の状況に応じて前方上方に送出する気流の方向を変更することができるのでより望ましい。
【００７０】
次に、図１２は第５実施形態の空気調和機の室内機を示す概略側面断面図である。説明の便宜上、前述の図９に示す第２実施形態と同様の部分には同一の符号を付している。本実施形態は、フロントパネル３が前方へ行くほど上方になるように形成される前方傾斜部３ａと、前方傾斜部３ａの上端を後方に折曲して後方へ行くほど上方になるように形成される後方傾斜部３ｂとから成っている。また、前方傾斜部３ａと後方傾斜部３ｂとの境界に尖状の導風部２０が設けられている。
【００７１】
後方傾斜部３ｂには吸込口４ｃが設けられ、前方傾斜部３ａの下部には吹出口５が設けられている。吹出口５はキャビネット２の下部かつ送風ファン７の略真下に下方に向けて配されており、吹出口５を覆うことのできる単一の横ルーバ１１が設けられている。その他の構成は第２実施形態と同様である。
【００７２】
本実施形態によると、横ルーバ１１を上方に向けると吹出口５から送出された空気は前方傾斜部３ａに沿って流通し、導風部２０によりコアンダ効果が断ち切られて前方上方に送出される。従って、第１〜第４実施形態と同様の効果を得ることができる。また、吹出口５が下方に向けて配されているため、空気を真下方向へ効率良く送出することができる。
【００７３】
第１〜第５実施形態において、暖房開始当初は温度センサ６１の検出結果により上方への送出に切り替えられ、安定運転状態ではタイマーの検出結果により上方への送出に切り替えられる。温度センサ６１に替えて室内の温度を把握できる他の温度検知手段を用いても良く、タイマーに替えて運転時間を把握できる他の運転時間積算手段を用いても良い。また、温度センサ６１は図１〜図１２に示した位置に設置する必要はなく、他の位置に設置しても良い。
【００７４】
また、空気調和機の運転状況を検出する運転状況検出部７７として、温度を検知する温度センサ６１及び時間を検出するタイマーを用いているが、何れか一方により運転状況を検出しても良い。更に、空気調和機の他の運転状況に基づいて上方への送出に切り替えるようにしても良い。例えば、室内熱交換器９や室外熱交換器の温度、圧縮機の駆動周波数、送風機７の回転数等により切り替えることができる。
【００７５】
尚、第１〜第５実施形態では、送風運転によって前方上方に空気を送出しているが、暖房運転により前方上方に暖気を送出しても良い。このようにすると、暖気の比重が小さいため部屋Ｒの温度を均一化するのに必要な時間が増大するが、部屋Ｒの温度低下を招くことなく部屋Ｒの温度を均一化できる。
【００７６】
また、冷房運転により前方上方に冷気を送出しても良い。このようにすると、部屋Ｒの温度をやや低下させてしまうが、冷気の比重が大きいため部屋Ｒの上部から下部に空気を循環させて温度を短時間に均一化できる。更に、暖房期間中に冷房運転を一時的に行って室外熱交換器に付着する霜を取り除く除霜運転を兼ねることができる。これにより、霜の付着による圧力損失によって生じる室外機風量の低下や熱交換効率の劣化および騒音の増大を防止して暖房能力を向上させることができる。
【００７７】
【発明の効果】
本発明によると、空気調和機の周辺に発生する暖気溜りを吹き飛ばし、コアンダ効果により部屋全体を大きく攪拌して暖気を部屋の全体に行き届かせることができる。これにより、部屋内の温度分布を均一にすることができ、足元が寒くなるとともに頭部に暖気が直接当たるような不快感を使用者に与えることもなく、均一で快適な暖房を実現できる。
【００７８】
更に、足元が寒くなった場合でも室内の温度分布が均一なため、空気調和機から送出される暖気にに作用する浮力を最小限に抑制できるため、直ちに足元の温度を改善して継続的に足元の寒さを感じさせることも防止することができる。加えて、室内に送出される空気に働く浮力が小さいため、イオン発生装置により発生したイオンを室内に行き届く。これにより、殺菌効果やリラクゼーション効果を向上させることができる。
【００７９】
また、空気調和機の運転開始直後は暖気溜りが発生するため室温が設定温度に到達する前に空気調和機の送風量及び暖房能力が下げられる場合があるが、安定運転状態では暖気溜りが発生せず、室内を設定温度に確実に到達させることができる。
【図面の簡単な説明】
【図１】は、本発明の第１実施形態の空気調和機の室内機を示す概略側面断面図である。
【図２】は、本発明の第１実施形態の空気調和機の室内機の吹出口近傍を示す概略側面断面図である。
【図３】は、本発明の第１実施形態の空気調和機の制御部の構成を示すブロック図である。
【図４】は、本発明の第１実施形態の空気調和機の室内機の動作を示す概略側面断面図である。
【図５】は、本発明の第１実施形態の空気調和機の室内機から送出される気流の挙動を示す斜視図である。
【図６】は、本発明の第１実施形態の空気調和機の動作時における部屋中央部断面の温度分布を示す図である。
【図７】は、本発明の第１実施形態の空気調和機の室内機の動作を示す概略側面断面図である。
【図８】は、本発明の第１実施形態の空気調和機の室内機の動作を示す概略側面断面図である。
【図９】は、本発明の第２実施形態の空気調和機の室内機を示す概略側面断面図である。
【図１０】は、本発明の第３実施形態の空気調和機の室内機を示す概略側面断面図である。
【図１１】は、本発明の第４実施形態の空気調和機の室内機を示す概略側面断面図である。
【図１２】は、本発明の第５実施形態の空気調和機の室内機を示す概略側面断面図である。
【図１３】は、従来の空気調和機の室内機の概略側面断面図である。
【図１４】は、従来の空気調和機の室内機から送出される気流の挙動を示す斜視図である。
【図１５】は、従来の空気調和機の動作時における部屋中央部断面の温度分布を示す図である。
【図１６】は、従来の空気調和機の室内機から送出される気流の挙動を示す斜視図である。
【図１７】は、従来の空気調和機の動作時における部屋中央部断面の温度分布を示す図である。
【符号の説明】
１　　室内機
２　　キャビネット
３　　フロントパネル
４ａ、４ｃ　吸込口
５　　吹出口
５ａ　第１開口部
５ｂ　第２開口部
６　　送風経路
７　　送風ファン
８　　エアフィルタ
９　　室内熱交換器
１０　　ドレンパン
１１、１１ａ、１１ｂ　横ルーバ
１２　　縦ルーバ
１３　　分岐通路
１３ａ　上壁面
１４、２３　導風板
２０　　導風部
２８　　溝部
２９　　突起部
３０　　イオン発生装置
３０ａ　放電面
６０　　制御部
６１　　温度センサ
６２　　圧縮機
６５　　送風機
７１　　ＣＰＵ
７２　　入力回路
７３　　出力回路
７４　　メモリ
７７　　運転状況検出部
【図１】
2004101128.tif 000004
【図２】
2004101128.tif 000005
【図３】
2004101128.tif 000006
【図４】
2004101128.tif 000007
【図５】
2004101128.tif 000008
【図６】
2004101128.tif 000009
【図７】
2004101128.tif 000010
【図８】
2004101128.tif 000011
【図９】
2004101128.tif 000012
【図１０】
2004101128.tif 000013
【図１１】
2004101128.tif 000014
【図１２】
2004101128.tif 000015
【図１３】
2004101128.tif 000016
【図１４】
2004101128.tif 000017
【図１５】
2004101128.tif 000018
【図１６】
2004101128.tif 000019
【図１７】
2004101128.tif 000020